(57)【特許請求の範囲】
【請求項１】
電話回線を用いて通話可能であり、さらに少なくとも１台の携帯通信端末と通信可能な電話機であって、
サーバに蓄積された迷惑電話であると判断された電話番号の一覧である迷惑電話リストを、上記携帯通信端末を介して取得する迷惑電話リスト取得部と、
上記迷惑電話リスト取得部が取得した上記迷惑電話リストを記憶する記憶部と、
上記迷惑電話リスト取得部によって取得された迷惑電話リストに基づいて、着信した電話番号が迷惑電話の電話番号であるか否かを判定する迷惑電話判定部と、
を備え、
上記迷惑電話リスト取得部は、取得した迷惑電話リストを用いて上記記憶部に記憶された上記迷惑電話リストを更新するものであり、
上記携帯通信端末が上記サーバとは通信不能である場合、上記携帯通信端末が内部に保有する迷惑電話リストを取得して上記記憶部に記憶されている上記迷惑電話リストを更新し、
上記携帯通信端末が上記サーバと通信可能である場合は、上記サーバが保有する迷惑電話リストを上記携帯通信端末を介して取得して上記記憶部に記憶されている上記迷惑電話リストを更新することを特徴とする電話機。
【請求項２】
上記電話機と通信可能な上記携帯通信端末を検出する通信端末検出部をさらに備え、
上記迷惑電話リスト取得部は、上記通信端末検出部が通信可能な上記携帯通信端末を検出した場合、上記携帯通信端末を介して上記迷惑電話リストを取得することを特徴とする請求項１に記載の電話機。
【請求項３】
電話機と通信可能な携帯通信端末であって、
迷惑電話であると判断された電話番号の一覧である迷惑電話リストをサーバから取得する迷惑電話リスト取得部と、
上記迷惑電話リスト取得部によって取得された迷惑電話リストを用いて、電話回線を介して自端末が着信した電話番号が迷惑電話か否かを判定する迷惑電話判定部と、
上記電話機から迷惑電話リストの要求を受付けると、上記迷惑電話リスト取得部により取得した迷惑電話リストを当該電話機に転送する迷惑電話リスト転送部と、
を備え、
上記迷惑電話リスト転送部は、
上記サーバとは通信不能である場合、内部に保有する迷惑電話リストを上記電話機に転送し、
上記サーバと通信可能である場合は、上記サーバが保有する迷惑電話リストを取得して上記電話機に転送することを特徴とする携帯通信端末。
【請求項４】
請求項１または２に記載の電話機と、
請求項３に記載の携帯通信端末と、
迷惑電話であると判断された電話番号の一覧である迷惑電話リストを格納し、上記迷惑電話リストを上記携帯通信端末を介して上記電話機に送信するサーバと、
を含むことを特徴とする通信システム。
【請求項５】
電話回線を用いて通話し、さらに少なくとも１台の携帯通信端末と通信可能な電話機の制御方法であって、
サーバに蓄積された迷惑電話であると判断された電話番号の一覧である迷惑電話リストを、上記携帯通信端末を介して取得し、取得した迷惑電話リストを用いて記憶部に記憶された上記迷惑電話リストを更新する迷惑電話リスト取得ステップと、
上記迷惑電話リスト取得ステップによって取得された迷惑電話リストに基づいて、着信した電話番号が迷惑電話の電話番号であるか否かを判定する迷惑電話判定ステップと、
を含み、
上記迷惑電話リスト取得ステップでは、
上記携帯通信端末が上記サーバとは通信不能である場合、上記携帯通信端末が内部に保有する迷惑電話リストを取得して上記記憶部に記憶されている上記迷惑電話リストを更新し、
上記携帯通信端末が上記サーバと通信可能である場合は、上記サーバが保有する迷惑電話リストを上記携帯通信端末を介して取得して上記記憶部に記憶されている上記迷惑電話リストを更新することを特徴とする電話機の制御方法。
【発明の詳細な説明】
【技術分野】
【０００１】
本発明は、サーバから提供された迷惑電話の電話番号に基づいて迷惑電話の着信を拒否する迷惑電話拒否サービスを利用する電話機、携帯通信端末及び通信システム等に関する。
【背景技術】
【０００２】
近年、勧誘やいたずらを目的とした迷惑電話の着信を自動的に拒否する電話機が開発されている。しかしながら、迷惑電話のために使用される電話番号（迷惑番号）は、日々、増大及び変化しているので、全ての迷惑番号を予め電話機に登録しておくことは困難である。そこで、特許文献１には、迷惑番号が記載された迷惑電話リストを管理する管理サーバから、所定のタイミングで、最新の迷惑電話リストを取得する電話機が記載されている。
【０００３】
特許文献１に記載された電話機は、管理サーバから取得した最新の迷惑電話リストを参照して該電話機が着信した電話番号が迷惑番号か否かを判定し、迷惑電話であると判定した場合、該着信を拒否する。
【先行技術文献】
【特許文献】
【０００４】
【特許文献１】特開２０１４−７５５０号公報（２０１４年１月１６日公開）
【発明の概要】
【発明が解決しようとする課題】
【０００５】
しかしながら、上述のように、インターネットに接続し、管理サーバから最新の迷惑電話リストを取得する電話機が開示されているが、該電話機は迷惑電話リストを取得する際、管理サーバとの接続が不可欠な構成となっている。そのため、たとえば多数の電話機が管理サーバに同時に接続しているなど、通信状況が悪化している場合、電話機は迷惑電話リストの取得および更新に長時間を要するため、通信コストの増大や利便性の低下を生じるおそれがある。
【０００６】
本発明は、前記の問題点に鑑みてなされたものであり、その目的は、迷惑電話拒否サービスの利便性の向上を図ることにある。
【課題を解決するための手段】
【０００７】
上記の課題を解決するために、本発明の一態様に係る電話機は、電話回線を用いて通話可能であって、さらに少なくとも１台の携帯通信端末と通信可能な電話機であって、サーバに蓄積された迷惑電話であると判断された電話番号の一覧である迷惑電話リストを、携帯通信端末を介して取得する迷惑電話リスト取得部と、上記迷惑電話リスト取得部が取得した上記迷惑電話リストを記憶する記憶部と、上記迷惑電話リスト取得部によって取得された迷惑電話リストに基づいて、着信した電話番号が迷惑電話の電話番号であるか否かを判定する迷惑電話判定部と、を備え、上記迷惑電話リスト取得部は、取得した迷惑電話リストを用いて上記記憶部に記憶された上記迷惑電話リストを更新するものであり、上記携帯通信端末が上記サーバとは通信不能である場合、上記携帯通信端末が内部に保有する迷惑電話リストを取得して上記記憶部に記憶されている上記迷惑電話リストを更新し、上記携帯通信端末が上記サーバと通信可能である場合は、上記サーバが保有する迷惑電話リストを上記携帯通信端末を介して取得して上記記憶部に記憶されている上記迷惑電話リストを更新する。
【０００８】
本発明の一態様に係る携帯通信端末は、電話機と通信可能な携帯通信端末であって、迷惑電話であると判断された電話番号の一覧である迷惑電話リストをサーバから取得する迷惑電話リスト取得部と、上記迷惑電話リスト取得部によって取得された迷惑電話リストを用いて、電話回線を介して自端末が着信した電話番号が迷惑電話か否かを判定する迷惑電話判定部と、上記電話機から迷惑電話リストの要求を受付けると、上記迷惑電話リスト取得部により取得した迷惑電話リストを当該電話機に転送する迷惑電話リスト転送部と、を備え、上記迷惑電話リスト転送部は、上記サーバとは通信不能である場合、内部に保有する迷惑電話リストを上記電話機に転送し、上記サーバと通信可能である場合、上記サーバが保有する迷惑電話リストを取得して上記電話機に転送する。
【発明の効果】
【０００９】
本発明の一態様によれば、迷惑電話拒否サービスの利便性の向上を図ることが可能となる。
【図面の簡単な説明】
【００１０】
【図１】本発明の実施形態１に係る通信システムを構成する電話機の要部構成を示すブロック図である。
【図２】本発明の実施形態１に係る通信システムの概要図である。
【図３】本発明の実施形態１に係る電話機が保有する迷惑電話判定履歴情報のデータ構造および具体例を示す図である。
【図４】本発明の実施形態１に係る通信システムを構成する携帯通信端末の要部構成を示すブロック図である。
【図５】本発明の実施形態１に係る電話機が実行する迷惑電話リスト更新処理（１）を示すフローチャートである。
【図６】本発明の実施形態１に係る電話機が実行する迷惑電話判定処理を示すフローチャートである。
【図７】本発明の実施形態１に係る携帯通信端末が実行する迷惑電話リスト更新処理（２）を示すフローチャートである。
【図８】本発明の実施形態２に係る通信システムを構成する携帯通信端末の要部構成を示すブロック図である。
【図９】本発明の実施形態２に係る電話機が実行する迷惑電話判定処理を示すフローチャートである。
【図１０】本発明の実施形態３に係る電話機が実行する迷惑電話判定処理を示すフローチャートである。
【発明を実施するための形態】
【００１１】
〔実施形態１〕
以下、本発明の実施形態について、図１から図６に基づいて詳細に説明する。
【００１２】
（通信システムの概要）
図２は、本実施形態に係る通信システムの概要を説明する図である。この図に示す通信システムによって、サーバ４は迷惑電話拒否サービスを提供している。
【００１３】
通信システムは、図２に示すように、電話機１、１ａ〜１ｃ、携帯通信端末２、Ｗｉ−Ｆｉ（登録商標）ルータ３、サーバ４を備えている。電話機１、１ａ〜１ｃは、電話回線網５を介して通話相手の電話機と通話可能である。該迷惑電話拒否サービスは、サーバ４から電話機１、１ａ〜１ｃに迷惑電話に関する情報を、携帯通信端末２を介して提供するサービスと、サーバ４から携帯通信端末２を介して迷惑電話に関する情報の提供を受けた電話機１、１ａ〜１ｃにおいて、迷惑電話の着信を拒否するサービスとを含む。
【００１４】
図２に示すように、電話機１、１ａ〜１ｃは、Ｗｉ−Ｆｉルータ３経由で複数の携帯通信端末２と通信可能に接続され、さらに各携帯通信端末２はインターネット回線網６経由でサーバ４と通信可能に接続される。電話機１は、サーバ４に蓄積された迷惑電話であると判断された電話番号の一覧である迷惑電話リストを、Ｗｉ−Ｆｉルータ３、携帯通信端末２、インターネット回線網６経由でサーバ４より取得する。
【００１５】
具体的には、所定期間ごと（たとえば１日１回）に、その時点で通信可能な携帯通信端末２を介してサーバ４より最新版の迷惑電話リストに更新するためのデータを取得し、自機が保有する迷惑電話リストを更新する。これにより、最新の迷惑電話リストによって迷惑電話の着信を拒否できる。また、電話機１と携帯通信端末２との間の通信と、携帯通信端末２とサーバ４との間の通信は非同期であってもよい。そのため、たとえば前者は有効だが後者は無効である場合にも電話機１の迷惑電話リストを更新できるように、電話機１は、所定期間ごとに携帯通信端末２がその時点で内部に保有する迷惑電話リストを更新するためのデータを取得する構成であってもよい。
【００１６】
さらに、電話機１は、自機が着信した電話番号が迷惑電話ではない場合、該着信をその時点で通信可能な携帯通信端末２に転送し、該携帯通信端末２で該着信を取ることができる構成であってもよい。すなわち、電話機１は、自機を親機とする親子電話の子機のように携帯通信端末２を動作させる構成であってもよい。
【００１７】
なお、上記の例では、サーバ４へのアクセスは携帯通信端末２が行っているが、電話機１、１ａ〜１ｃを電話回線網５を介してサーバ４と通信可能に構成してもよい。この場合、電話機１、１ａ〜１ｃとサーバ４との通信は、携帯通信端末２を用いたインターネット回線網６経由で行ってもよいし、電話回線網５経由で行ってもよい。そして、以下に示す種々の機能を有してもよい。
【００１８】
例えば、電話機１、１ａ〜１ｃは、電話回線網５経由でサーバ４から迷惑電話リストを直接取得するようにしてもよい。また、電話機１、１ａ〜１ｃは、個々の電話機が着信した電話番号に対して迷惑電話リストの使用履歴を示す迷惑電話判定履歴情報等の各種情報（端末情報）を、サーバ４へ所定のタイミングで送信するようにしてもよい。また、個々の電話機において新たに迷惑電話であると判断した電話番号（迷惑番号）を示す迷惑電話情報を、必要に応じて迷惑電話判定履歴情報等の各種情報（端末情報）と同様にしサーバ４へ送信するようにしてもよい。
【００１９】
携帯通信端末２は、Ｗｉ−Ｆｉルータ３経由で電話機１と通信可能に接続され、さらにインターネット回線網６経由でサーバ４と通信可能に接続される。携帯通信端末２は、電話機１に登録（認証）されることによって該電話機１と通信可能に接続され、サーバ４から取得した迷惑電話リストを該電話機１へ提供する。なお、携帯通信端末２は、電話機１に関する迷惑電話判定履歴情報等の各種情報（端末情報）や電話機１にて新たに迷惑電話であると判断した電話番号（迷惑番号）を示す迷惑電話情報を、サーバ４へ送信してもよい。また、携帯通信端末２は、Ｗｉ−Ｆｉルータ３およびインターネット回線網６に接続可能な通信端末であれば、携帯電話機（スマートフォン）、タブレット等であってもよい。また、携帯通信端末２は、電話機１に関連付けられた認証情報を用いてサーバ４へ接続してもよい。そして、携帯通信端末２は、電話機１が着信した電話番号が迷惑電話ではない場合、該着信を取ることができる構成であってもよい。
【００２０】
Ｗｉ−Ｆｉルータ３は、電話機１と複数の携帯通信端末２との間をＷｉ−Ｆｉ通信によって仲介する。なお、電話機１と複数の携帯通信端末２との間の通信は、Ｗｉ−Ｆｉに限定されるものではなく、Ｂｌｕｅｔｏｏｔｈ（登録商標）を用いた無線通信、または有線通信であってもよい。
【００２１】
サーバ４は、迷惑電話拒否サービスに加入している各電話機が登録した迷惑番号を収集し、その一覧である迷惑電話リストを作成（更新）する。さらに、迷惑電話リストを必要に応じて携帯通信端末２を介して各電話機へ配布する。
【００２２】
なお、サーバ４は、複数のサーバで実現されてもよい。この場合、迷惑電話拒否サービスを提供する通信システムは、たとえば、サーバ４の代わりに、電話回線網５経由で各電話機１と通信可能に接続され、各電話機１から直接迷惑番号等を収集するサーバと、携帯通信端末２を介して電話機１へ迷惑電話リストを更新するための情報を提供するサーバとを別個に備えてもよい。
【００２３】
〔電話機１の構成〕
まず、本実施形態に係る電話機１の構成を図１に基づいて説明する。図１は、電話機１の要部構成の一例を示すブロック図である。図示のように、電話機１は、制御部１０、記憶部２０、操作部１０１、ディスプレイ１０２、スピーカ１０３、マイク１０４、および通信部１０５を備えている。なお、図２に示す電話機１ａ〜１ｃも、図１に示す電話機１と迷惑電話拒否を実現するための構成において同一であるため、詳細な説明は省略する。
【００２４】
まず、操作部１０１、ディスプレイ１０２、スピーカ１０３、マイク１０４、および通信部１０５について以下に説明する。
【００２５】
操作部１０１は、ユーザの操作を受け付けるものである。具体的には、操作部１０１はタッチパネルや物理キーであり、操作部１０１は受け付けたユーザの操作に応じた信号（操作信号）を電話機１の各部に出力する。ディスプレイ１０２は、制御部１０の制御に従って情報を表示するものであり、たとえば、ＬＣＤ（Liquid Crystal Display）等である。具体的には、ディスプレイ１０２は携帯通信端末２を登録（認証）する際のガイダンス情報や、電話機１が着信した電話番号、操作部１０１にて入力した内容等を表示する。スピーカ１０３は、制御部１０の制御に従って音声情報を出力するものであり、電話機１の通話において通話先の相手の音声を出力するものである。マイク１０４は、音声を制御部１０に音声情報として入力するものであり、電話機１の通話においてユーザの音声を入力するものである。通信部１０５は、制御部１０の制御に従って外部との通信を行うものである。図示の例ではＷｉ−Ｆｉルータ３経由で複数の携帯通信端末２と通信可能に接続し、さらに携帯通信端末２経由でサーバ４との通信を行う。
【００２６】
次に、電話機１が備える記憶部２０について説明する。記憶部２０は、電話機１にて扱われる各種データを記憶する。図示の例では、通信端末情報２１、迷惑電話リスト２２、および迷惑電話判定履歴情報２３が記憶部２０に記憶されている。なお、記憶部２０は、電話機１から着脱可能な記録媒体（記録装置）であってもよい。
【００２７】
通信端末情報２１は、電話機１が検出し、該電話機１との通信の許可を与えた携帯通信端末２に関する情報である。たとえば、端末を一意に識別するためのＩＤや名称、携帯通信端末２ごとに許容する動作（迷惑電話リストの取得、着信の転送など）、複数の携帯通信端末２が同時に通信可能である場合の優先順位等の設定を含めることができる。
【００２８】
迷惑電話リスト２２は、迷惑電話であると判断された電話番号の一覧であり、警察から提供されるブラックリスト情報の他に、迷惑電話拒否サービスに加入している各電話機１の着信履歴情報などから作成および更新されるリスト情報である。迷惑電話リストはバージョン情報および最終更新日時によって更新状況が管理されており、電話機１は、所定期間ごとに携帯通信端末２を介して、その時点で取得できる最新の迷惑電話リストのバージョン情報を確認し、それが迷惑電話リスト２２のものよりも新しいものであれば、迷惑電話リスト２２を更新する。
【００２９】
〔迷惑電話判定履歴情報の例〕
迷惑電話判定履歴情報２３は、電話機１が着信した電話番号が、迷惑電話リスト２２に登録されている迷惑番号か否かを判定した結果の履歴である。図３は迷惑電話判定履歴情報２３のデータ構造および具体例を示す図である。図３の例では、例えば、Ｎｏ．３について、着信日時が「２０１５／０７／１０  １４：３３：０１」で通話先電話番号が「０９０−９９９９−９９９８」の着信について、バージョン情報が「１．０２」である迷惑電話リスト２２に基づいて判定結果が「迷惑電話」であるとされている。同一の電話番号であっても迷惑電話リスト２２のバージョンが異なれば迷惑番号か否かの判定結果が変わり得るため、リストバージョンの項目に、迷惑電話リスト２２のバージョン情報を格納している。さらに、リスト取得元として、判定に用いた迷惑電話リスト２２の取得元について格納することにより、迷惑電話リスト２２の更新状況を確認することも可能となっている。
【００３０】
続いて、電話機１の詳細について説明する。電話機１は、電話回線を用いた通話機能以外の、別の通信機能を備えた電話機である。より詳細には、電話機１は、通信部１０５より外部機器であるＷｉ−Ｆｉルータ３と通信し、さらにＷｉ−Ｆｉルータ３に接続している携帯通信端末２を介して外部のネットワークにアクセスすることが可能である。電話機１は携帯通信端末２と通信する機能を備えていればどのようなものでもよく、たとえば、Ｗｉ−Ｆｉルータ３の機能を電話機１が包含する構成であってもよい。
【００３１】
制御部１０は、電話機１の各部を統括して制御するものであり、通信端末検出部１１、リスト更新判定部１２、迷惑電話リスト取得部１３、迷惑電話判定部１４、着信番号転送部１５を備えている。
【００３２】
通信端末検出部１１は、電話機１と通信可能な携帯通信端末２を検出し、記憶部２０内の通信端末情報２１を更新する。具体的には、通信端末検出部１１は、所定のタイミングで電話機１が通信可能な携帯通信端末２を検出し、検出した携帯通信端末２を記憶部２０の中の通信端末情報２１へ登録する。ここでは、通信端末検出部１１によって検出された携帯通信端末２を特定するための情報（例えば電話番号など）をディスプレイ１０２に表示させることで、ユーザにディスプレイ１０２に表示された情報を確認させて、該携帯通信端末２を、操作部１０１を操作して記憶部２０の通信端末情報２１に登録する。なお、所定のタイミングはどのようなものであってもよく、たとえば予め電話機１に設定されていた時刻や、ユーザが操作部１０１を操作したタイミングであってもよい。
【００３３】
リスト更新判定部１２は、電話機１が現在保有する迷惑電話リスト２２を更新する必要があるか否かを判定する。具体的には、リスト更新判定部１２は通信部１０５を介して携帯通信端末２が現在保有する、またはサーバ４が現在保有する迷惑電話リスト情報のバージョン情報を取得し、迷惑電話リスト２２のバージョン情報と比較する。また、このときに電話機１が複数の携帯通信端末２と通信可能であるならば、個々の携帯通信端末２が保有する迷惑電話リストのバージョン情報とも比較する。比較の結果、電話機１の迷惑電話リスト２２に対してバージョンが新しい迷惑電話リストが存在するのであれば、その中から最も新しい迷惑電話リストを取得するよう、迷惑電話リスト取得部１３に指示を出す。
【００３４】
迷惑電話リスト取得部１３は、現在の迷惑電話リスト２２よりもバージョン情報が新しい迷惑電話リストを取得可能である場合に、サーバ４から携帯通信端末２を介して、または携帯通信端末２から新たな迷惑電話リストを取得するものである。具体的には、サーバ４が保有する迷惑電話リストおよび／または過去に携帯通信端末２がサーバ４から取得し、携帯通信端末２内に保有する迷惑電話リストのバージョン情報が現在の迷惑電話リスト２２よりも新しい場合に、その中で最もバージョン情報が新しい迷惑電話リストを取得する。なお、サーバ４が保有する迷惑電話リストを、携帯通信端末２を介して取得する場合に用いる携帯通信端末２に制限はないが、個々の携帯通信端末２の通信料金や通信速度などに応じて適当な携帯通信端末２をユーザが手動で選択する構成であってもよいし、予め設定された所定の条件に従って電話機１が自動的に選択する構成であってもよい。たとえば、通信可能である複数の携帯通信端末２のうち、最初に通信可能となった携帯通信端末２や、電話機１との間の通信の強さを示す通信強度が最も高い携帯通信端末２を選択する構成であってもよい。さらに、必要に応じて、電話機１が電話回線網５経由でサーバ４から直接迷惑電話リストを取得する構成であってもよい。
【００３５】
迷惑電話判定部１４は、電話機１が着信した電話番号について、迷惑電話であるか否かを判定する。具体的には、着信した電話番号が迷惑電話リスト２２の中に存在するか否かを検索し、迷惑電話リスト２２の中に存在する場合は迷惑電話と判定し、存在しない場合は迷惑電話ではないと判定する。さらに、それぞれの着信について、着信日時、電話番号、判定結果などの情報を迷惑電話判定履歴情報２３に登録する。
【００３６】
着信番号転送部１５は、迷惑電話判定部１４にて電話機１が着信した電話番号が迷惑電話ではないと判定した場合に、該着信を現在通信可能な携帯通信端末２に転送する。具体的には、迷惑電話ではない電話番号から電話機１に着信があると、通信端末情報２１に登録済みかつ現在通信可能な携帯通信端末２に着信を転送し、該携帯通信端末２でも通話することが可能となる。
【００３７】
〔携帯通信端末２の構成〕
次に、本実施形態に係る携帯通信端末２の構成を図４に基づいて説明する。図４は、携帯通信端末２の要部構成の一例を示すブロック図である。図示のように、携帯通信端末２は、制御部２１０、記憶部２２０、操作部２０１、ディスプレイ２０２、スピーカ２０３、マイク２０４、および通信部２０５を備えている。
【００３８】
まず、操作部２０１、ディスプレイ２０２、スピーカ２０３、マイク２０４、および通信部２０５について説明する。
【００３９】
操作部２０１は、ユーザの操作を受け付けるものである。具体的には、操作部２０１はタッチパネルや物理キーであり、操作部２０１は受け付けたユーザの操作に応じた信号（操作信号）を携帯通信端末２の各部に出力する。ディスプレイ２０２は、制御部２１０の制御に従って情報を表示するものであり、たとえば、ＬＣＤ（Liquid Crystal Display）等である。具体的には、ディスプレイ２０２は電話機１との接続状況や、インターネット回線網６への接続状況等を表示する。スピーカ２０３は、制御部２１０の制御に従って音声情報を出力するものであり、携帯通信端末２の通話において通話先の相手の音声を出力するものである。マイク２０４は、音声を制御部２１０に音声情報として入力するものであり、携帯通信端末２の通話においてユーザの音声を入力するものである。通信部２０５は、制御部２１０の制御に従って外部との通信を行うものである。図示の例ではＷｉ−Ｆｉルータ３経由で電話機１と通信可能に接続し、さらにインターネット回線網６経由でサーバ４との通信を行う。
【００４０】
続いて、記憶部２２０について説明する。記憶部２２０は、迷惑電話リスト２２１を備える。迷惑電話リスト２２１は、サーバ４から取得した、取得時点で最新の迷惑電話リストである。
【００４１】
次いで、制御部２１０について説明する。制御部２１０は、携帯通信端末２の各部を統括して制御するものであり、リスト更新判定部２１１、迷惑電話リスト取得部２１２、迷惑電話リスト転送部２１３、履歴送信部２１４を備える。リスト更新判定部２１１は、サーバ４が現在保有する迷惑電話リストのバージョン情報を取得し、迷惑電話リスト２２１のバージョン情報と比較する。比較の結果、携帯通信端末２の迷惑電話リスト２２１に対してバージョンが新しい迷惑電話リストがサーバ４に存在するのであれば、サーバ４から該迷惑電話リストを更新するための情報を取得するよう、迷惑電話リスト取得部２１２に指示を出す。迷惑電話リスト取得部２１２は、サーバ４から最新の迷惑電話リストを取得し、迷惑電話リスト２２１に格納する。迷惑電話リスト転送部２１３は、電話機１から迷惑電話リスト２２１の転送依頼を受信すると、迷惑電話リスト２２１を該電話機１へ送信するものである。履歴送信部２１４は、該携帯通信端末２と通信可能に接続された電話機１の履歴情報（迷惑電話判定履歴情報２３を含む、電話機１に関する各種履歴情報）を取得し、サーバ４へ送信するものである。なお、履歴情報を電話機１から取得するタイミングはどのようなものであってもよく、事前に取得し、記憶部２２０の図示しない領域に格納する構成であってもよい。
【００４２】
〔処理の流れ〕
以下に、電話機１が実行する処理（迷惑電話リスト更新処理（１）および迷惑電話判定処理）、および携帯通信端末２が実行する迷惑電話リスト更新処理（２）について、図５、図６、および図７を用いて説明する。図５は、電話機１が所定期間ごとに行う処理の一例を示すフローチャートであり、図６は、電話機１が着信を受けた時に行う処理の一例を示すフローチャートである。また、図７は携帯通信端末２が所定期間ごとに行う処理の一例を示すフローチャートである。なお、ここでは図６において、着信時に迷惑電話リスト２２の更新が必要である場合には更新を行う例を示しているが、更新を行わない構成であっても問題ない。
【００４３】
（迷惑電話リスト更新処理（１））
まず、図５に基づいて、電話機１が実行する迷惑電話リスト更新処理（１）について説明する。
【００４４】
はじめに、電話機１は、通信可能な携帯通信端末２が存在するか否かを判定する（Ｓ１）。具体的には、通信端末検出部１１は、通信端末情報２１に登録済み、かつ現在Ｗｉ−Ｆｉルータ３経由で通信可能に接続されている携帯通信端末２が存在するか否かを判定する。なお、Ｓ１の処理は所定期間ごとに行われてもよいし、ユーザが操作部１０１を操作する等の方法によって任意のタイミングで行われてもよい。さらに、Ｓ１は、通信端末情報２１に迷惑電話リストの取得が可能であると登録されている携帯通信端末２が存在するか否かを判定する構成であってもよい。
【００４５】
通信可能な携帯通信端末２が存在する場合（Ｓ１でＹＥＳ）、電話機１は、自機が保有する迷惑電話リスト２２の更新が必要か否かを判定する（Ｓ２）。具体的には、リスト更新判定部１２は、迷惑電話リスト２２のバージョン情報と、通信可能な携帯通信端末２から取得可能な迷惑電話リスト２２１のバージョン情報とを取得し、比較する。ここで、比較対象である携帯通信端末２から取得可能な迷惑電話リスト２２１のバージョン情報は、携帯通信端末２から通信によって取得したものであってもよいし、電話機１が通信端末情報２１に予め記憶しておいた、個々の携帯通信端末２の迷惑電話リスト２２１のバージョン情報であってもよい。なお、通信可能な携帯通信端末２が複数存在する場合は、それらすべてに対して比較してもよいし、その中から１つを選択して比較してもよい。そして、通信可能な携帯通信端末２から取得可能な迷惑電話リストのバージョン情報が、迷惑電話リスト２２のバージョン情報よりも新しい場合（Ｓ２でＹＥＳ）、すなわち迷惑電話リスト２２の更新が必要と判定された場合は、Ｓ３に移行する。
【００４６】
Ｓ３では、取得可能な迷惑電話リストのうち、最新のバージョンを取得する。具体的には、迷惑電話リスト取得部１３は、通信可能な携帯通信端末２が、電話機１とは通信可能だがサーバ４とは通信不能である場合は、該携帯通信端末２が内部に保有する迷惑電話リスト２２１を迷惑電話リスト転送部２１３から取得して迷惑電話リスト２２を更新する一方、該携帯通信端末２がサーバ４と通信可能である場合は、サーバ４が保有する迷惑電話リストを該携帯通信端末２の迷惑電話リスト取得部２１２を介して迷惑電話リスト転送部２１３から取得して迷惑電話リスト２２を更新する。
【００４７】
なお、Ｓ２でＮＯ、すなわち迷惑電話リスト２２の更新が不要であると判定した場合は、一連の処理を終了する。
【００４８】
以上で、迷惑電話リスト更新処理は終了する。迷惑電話リストの更新を行うことにより、電話機１はその時点で利用可能な最新の迷惑電話リストに基づいて迷惑電話を拒否することが可能となる。
【００４９】
（迷惑電話判定処理）
次に、図６に基づいて、迷惑電話判定処理について説明する。
【００５０】
通信端末検出部１１は、着信を受けると、その時点で通信可能な携帯通信端末２が存在するか否かを判定する（Ｓ１１）。ここで、Ｓ１１が実行する処理の内容は、図５のＳ１と同一である。そして、通信可能な携帯通信端末２が存在する場合（Ｓ１１でＹＥＳ）、リスト更新判定部１２は、電話機１が保有する迷惑電話リスト２２の更新が必要か否かを判定する（Ｓ１３）。ここで、Ｓ１３が実行する処理の内容は、図５のＳ２と同一である。
【００５１】
迷惑電話リスト２２の更新が不要と判定された場合（Ｓ１３でＮＯ）、迷惑電話リスト２２は最新のものであると判断し、処理はＳ１６へ進む。一方、迷惑電話リスト２２の更新が必要と判定された場合（Ｓ１３でＹＥＳ）、ディスプレイ１０２に最新の迷惑電話リスト２２に基づく判定が行えない旨のガイダンスを表示し（Ｓ１４）、その後に処理はＳ１６へ進む。
【００５２】
一方、Ｓ１１でＮＯ、すなわち通信可能な携帯通信端末２が存在しない場合、電話機１は迷惑電話リスト２２を保有しているか否かを判定する（Ｓ１２）。具体的には、迷惑電話判定部１４は、迷惑電話リスト２２に迷惑電話の電話番号が１件でも登録されているか否かを判定する。電話機１が迷惑電話リスト２２を保有している場合（Ｓ１２でＹＥＳ）、処理はＳ１４を経由してＳ１６へ進み、保有していない場合（Ｓ１２でＮＯ）、ディスプレイ１０２に迷惑電話リスト２２に基づく判定が行えない旨のガイダンスを表示し（Ｓ１５）、その後に処理はＳ１８へ進む。
【００５３】
Ｓ１１〜Ｓ１５の一連の処理によって迷惑電話の判定に用いる迷惑電話リスト２２を決定した後、迷惑電話判定部１４は、電話機１が着信した電話番号が迷惑電話リスト２２にあるか否かを判定する（Ｓ１６）。Ｓ１６でＹＥＳ、すなわち着信した電話番号が迷惑電話リスト２２の中に登録されていた場合、迷惑電話判定部１４は電話機１で着信拒否を行い（Ｓ１７）、Ｓ１９の処理へ進む。一方、着信した電話番号が迷惑電話リスト２２の中に登録されていなかった場合（Ｓ１６でＮＯ）や、電話機１が迷惑電話リスト２２を保有しておらず、着信した電話番号が迷惑番号か否かの判定が行えなかった場合（Ｓ１２でＮＯ）、迷惑電話判定部１４は該着信が迷惑番号からの着信ではないと判定する。そして着信番号転送部１５は該着信を通信可能な携帯通信端末２に転送し、電話機１および携帯通信端末２で該着信を受け付け（Ｓ１８）、Ｓ１９の処理へ進む。
【００５４】
Ｓ１７またはＳ１８の後、迷惑電話判定部１４は、迷惑電話判定履歴情報２３を記録する（Ｓ１９）。
【００５５】
以上で、迷惑電話判定処理は終了する。これにより、電話機１は携帯通信端末２を介して所定期間ごとに更新した迷惑電話リスト２２を用いて迷惑電話を拒否することが可能となる。
【００５６】
（迷惑電話リスト更新処理（２））
以下、図７に基づいて、携帯通信端末２が実行する迷惑電話リスト更新処理（２）について説明する。
【００５７】
リスト更新判定部２１１は、現時点が迷惑電話リスト２２１の更新タイミングか否かを判定し（Ｓ２１）、更新タイミングであると判定した場合（Ｓ２１でＹＥＳ）、電話機１の履歴情報をサーバ４にアップロードする（Ｓ２２）。具体的には、前回のアップロードから今回のアップロードまでの間に、ユーザが電話機１に個別に登録した迷惑番号（図示せず）および迷惑電話判定履歴情報２３を取得し、サーバ４へ送信する。なお、更新タイミングか否かの判定については、電話機１からの通信を基準としてもよいし、携帯通信端末２が記憶部２２０に図示しない設定情報として更新タイミングを保有する構成であってもよい。
【００５８】
そして、リスト更新判定部２１１は、サーバ４に、更新対象の迷惑電話リストが存在するか否かを判定する（Ｓ２３）。具体的には、サーバ４が現在保有する迷惑電話リストのバージョン情報を取得し、取得したバージョン情報と、自機が保有する迷惑電話リスト２２１のバージョン情報とを比較し、前者の方が新しい場合、更新対象の迷惑電話リストが存在すると判定する。Ｓ２３でＹＥＳ、すなわちサーバ４に更新対象の迷惑電話リストが存在する場合、迷惑電話リスト取得部２１２はサーバ４より最新のバージョンの迷惑電話リストを取得する（Ｓ２４）。具体的には、迷惑電話リスト取得部２１２はサーバ４より迷惑電話リストを取得し、自機の迷惑電話リスト２２１を更新する。一方、Ｓ２３でＮＯ、すなわちサーバ４に更新対象の迷惑電話リストが存在しない場合、一連の処理を終了する。
【００５９】
以上で、迷惑電話リスト更新処理（２）は終了する。これにより、携帯通信端末２は電話機１が個別に登録した迷惑番号および迷惑電話判定履歴情報２３をサーバ４へ反映し、併せて最新の迷惑電話リストを取得することが可能となる。したがって、携帯通信端末２は、電話機１が利用する迷惑電話拒否サービスの利便性を向上させることが可能となる。
【００６０】
なお、本実施形態１では、電話機１が予め更新しておいた迷惑電話リスト２２を用いて、着信した電話番号が迷惑番号か否かを判定する構成となっていたが、判定するタイミングよっては迷惑電話リスト２２が最新でない場合もある。そこで、下記の実施形態２では、着信した電話番号が迷惑番号であるか否かを判定する際に常に最新バージョンの迷惑電話リストを使用する例について説明する。
【００６１】
〔実施形態２〕
本発明の他の実施形態について、説明すれば以下のとおりである。なお、説明の便宜上、前記実施形態にて説明した部材と同じ機能を有する部材については、同じ符号を付記し、その説明を省略する。
【００６２】
〔電話機１の構成〕
本実施形態に係る電話機は、図１に示す前記実施形態１に係る電話機１と構成上同じであるが、リスト更新判定部１２，迷惑電話判定部１４，着信番号転送部１５の機能の一部が異なる。すなわち、リスト更新判定部１２は、着信時に迷惑電話リスト２２のバージョン情報と、通信可能な携帯通信端末２から取得可能な迷惑電話リスト２２１のバージョン情報から、迷惑電話リスト２２の更新が必要であるか否かを判定する。そして、迷惑電話リスト２２の更新が必要であると判定した場合、該着信の電話番号をその時点で通信可能な携帯通信端末２へ送信するよう、着信番号転送部１５へ指示を出す。着信時に迷惑電話リスト２２の更新が不要であると判定した場合の処理や、着信時以外の迷惑電話リスト２２の更新要否の判定およびその後の処理については、実施形態１と同一である。
【００６３】
迷惑電話判定部１４は、着信時にリスト更新判定部１２が迷惑電話リスト２２の更新が必要であると判定した場合は、携帯通信端末２から受信した判定結果に基づいて迷惑電話判定履歴情報２３の記録のみを行う。それ以外の場合は実施形態１と同一の処理を行う。
【００６４】
着信番号転送部１５（判定結果取得部）は、着信時にリスト更新判定部１２が迷惑電話リスト２２の更新が必要であると判定した場合は、該着信の電話番号をその時点で通信可能な携帯通信端末２へ送信し、携帯通信端末２から該電話番号が迷惑番号か否かの判定結果を受信する。上記以外の場合の処理については、実施形態１と同一である。
【００６５】
〔携帯通信端末２の構成〕
本実施形態に係る携帯通信端末３００は、図８に示すように、図４に示す前記実施形態１に係る携帯通信端末２と同じ構造であるが、制御部２１０が新たに迷惑電話判定部３１５および判定結果転送部３１６を備えている点で異なる。すなわち、制御部２１０が備える迷惑電話判定部２１５は、電話機１が着信した電話番号について、電話機１の着信番号転送部１５から受信すると、該電話番号が迷惑電話リスト２２１に登録されているか否かを検索し、迷惑電話リスト２２１の中に存在する場合は迷惑電話と判定し、存在しない場合は迷惑電話ではないと判定する。なお、携帯通信端末３００は、電話機１から着信番号の検索依頼を受信した時、サーバ４と通信を行い、サーバ４が現在保有する迷惑電話リストのバージョン情報を取得する。そして、該受信の時点で携帯通信端末２が保有する迷惑電話リスト２２１よりもバージョン情報が新しい迷惑電話リストがサーバ４に存在するのであれば、さらに該電話番号をサーバ４に送信し、サーバ４より判定結果を受信する構成であってもよい。判定結果転送部３１６は、迷惑電話判定部３１５より判定結果の送信指示を受けると、該判定結果を電話機１へ送信する。
【００６６】
〔処理の流れ〕
次に、着信時に電話機１および携帯通信端末２が実行する迷惑電話判定処理について説明する。なお、本実施形態の迷惑電話判定処理は、図９に示すフローチャートで示すが、前記実施形態１の図６に示す迷惑電話判定処理の流れとほぼ同じである。従って、説明の便宜上、実施形態１における迷惑電話判定処理を示す図６と同一の処理については、同じ符号を付記し、その説明を省略する。
【００６７】
Ｓ１３にて、リスト更新判定部１２が迷惑電話リスト２２の更新が必要であると判定した場合（Ｓ１３でＹＥＳ）、着信番号転送部１５は、着信した電話番号を携帯通信端末２へ送信する（Ｓ３１）。具体的には、リスト更新判定部１２は、迷惑電話リスト２２のバージョン情報と、通信可能な携帯通信端末２から取得可能な迷惑電話リスト２２１のバージョン情報を比較し、取得可能な迷惑電話リスト２２１のバージョン情報の方が新しければ、迷惑電話リスト２２の更新が必要であると判定する。そして、迷惑電話判定部１４は、該携帯通信端末２から受信した判定結果に基づいて、着信した電話番号は迷惑電話か否かを判定する（Ｓ３２）。具体的には、Ｓ２１で送信した電話番号について、携帯通信端末２内の迷惑電話判定部３１５は、内部に保有する迷惑電話リスト２２１に該電話番号が登録されているか否かを判定し、判定結果転送部３１６は、判定結果を電話機１へ送信する。そして、電話機１の迷惑電話判定部１４は、該判定結果を受信する。なお、迷惑電話判定部１４は、携帯通信端末２に送信した電話番号に対する判定結果を受信することができるのであれば、携帯通信端末２がどのような処理を行う構成であってもよい。たとえば、携帯通信端末２が内部に保有する迷惑電話リスト２２１を用いて判定した結果を受信してもよいし、携帯通信端末２が電話機１から受信した電話番号をさらにサーバ４へ送信し、サーバ４にて該電話番号が迷惑電話リストに登録されているか否かを判定した結果を該携帯通信端末２経由で受信する構成であってもよい。
【００６８】
Ｓ３２でＹＥＳ、すなわち電話機１が着信した電話番号が迷惑電話であると判定した場合、処理はＳ１７へ進み、その後Ｓ１９へ進む。一方、Ｓ３２でＮＯ、すなわち電話機１が着信した電話番号が迷惑電話ではないと判定した場合、処理はＳ１８へ進み、その後Ｓ１９へ進む。
【００６９】
以上で、実施形態２における迷惑電話判定処理は終了する。これにより、電話機１は常に利用可能な迷惑電話リストの中で最新の迷惑電話リストを用いて迷惑電話を拒否することが可能となる。
【００７０】
なお、本実施形態２では、電話機１が、着信時にリスト更新判定部１２が迷惑電話リスト２２の更新が必要であると判定した場合のみ、着信番号転送部１５は該着信の電話番号を携帯通信端末２に転送し、該携帯通信端末２から受信した判定結果に基づいて、着信拒否の要否を判定していたが、携帯通信端末２を用いて該着信の電話番号が迷惑番号か否かを判定する構成であってもよく、たとえば電話機１に対する全ての着信について、その時点で通信可能な携帯通信端末２を用いて着信拒否の要否を判定する構成であってもよい。以下の実施形態３では、着信拒否の要否の判定を携帯通信端末２が行う例について説明する。
【００７１】
〔実施形態３〕
本発明のさらなる実施形態について説明すれば以下の通りである。なお、説明の便宜上、前記実施形態にて説明した部材と同じ機能を有する部材については、同じ符号を付記し、その説明を省略する。
【００７２】
本実施形態では、電話機１に対する全ての着信について、該着信の電話番号を携帯通信端末２へ送信し、該携帯通信端末２から受信した判定結果に基づいて、着信拒否の要否を判定する。
【００７３】
〔電話機１の構成〕
本実施形態では、携帯通信端末２側で迷惑電話の判定から着信拒否の判定までを行うため、電話機１の記憶部２０に迷惑電話リスト２２を格納する必要がない。従って、本実施形態に係る電話機１は、前記実施形態１の図１に示す電話機１とほぼ同じ構成であるが、記憶部２０から迷惑電話リスト２２を除いた構成となっている。
【００７４】
〔携帯通信端末の構成〕
本実施形態では携帯通信端末３００は、図８に示す前記実施形態２に係る携帯通信端末３００と同じ構成である。
【００７５】
〔処理の流れ〕
次に、着信時に電話機１および携帯通信端末３００が実行する迷惑電話判定処理について、図１０を参照しつつ、実施形態２からの変更点について説明する。なお、説明の便宜上、実施形態２における迷惑電話判定処理と同一の処理については、その説明を省略する。
【００７６】
本実施形態に係る電話機１は迷惑電話リスト２２を内部に保有しない構成である。そのため、通信可能な携帯通信端末２が存在するか否かを判定し（Ｓ１１）、存在する場合（Ｓ１１でＹＥＳ）、処理はＳ３１へ進み、存在しない場合（Ｓ１１でＮＯ）、処理はＳ１５へ進む。Ｓ３１およびＳ１５へ進んだ後の処理は、前記実施形態２と同一である。以上で、実施形態３における迷惑電話判定処理は終了する。これにより、電話機１は内部に迷惑電話リスト２２を保有しない構成であっても、迷惑電話を拒否することが可能となる。
【００７７】
〔変形例〕
上述の各実施形態では、着信の時点で利用可能な迷惑電話リストのうち最新の迷惑電話リストを用いて判定することを想定している。しかし、迷惑番号か否かを判定するために用いる迷惑電話リストはどのようなものであってもよく、たとえば特定用途向けの迷惑電話リストを必要に応じて用いる構成であってもよい。たとえば、実施形態２および３において、電話機１と通信可能な複数の携帯通信端末３００のうち、通信強度が最も高い携帯通信端末３００が保有する迷惑電話リスト２２１を用いて迷惑番号か否かを判定する構成であってもよい。上記の構成によれば、着信を受けた時点で最も電話機１の近くにいるユーザに応じた迷惑電話リストを用いて迷惑番号か否かを判定することが可能となる。すなわち、ユーザごとに異なる迷惑電話リストを該ユーザの携帯通信端末２に保有し、該ユーザが電話機１を用いた迷惑電話拒否サービスの利用を所望する場合は、該電話機１の近くに移動することにより、個々のユーザに適した迷惑電話リストに基づいて、電話機１の迷惑電話を拒否することが可能となる。
【００７８】
〔ソフトウェアによる実現例〕
電話機１及び携帯通信端末２、３００の制御ブロック（特に迷惑電話リスト取得部１３、２１２および迷惑電話判定部１４、３１５）は、集積回路（ＩＣチップ）等に形成された論理回路（ハードウェア）によって実現してもよいし、ＣＰＵ（Central Processing Unit）を用いてソフトウェアによって実現してもよい。
【００７９】
後者の場合、電話機１及び携帯通信端末２、３００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８０】
〔まとめ〕
本発明の態様１に係る電話機（１）は、電話回線を用いて通話可能であり、さらに少なくとも１台の携帯通信端末（２）と通信可能な電話機（１）であって、サーバ（４）に蓄積された迷惑電話であると判断された電話番号の一覧である迷惑電話リストを、携帯通信端末（２）を介して取得する迷惑電話リスト取得部（１３）と、上記迷惑電話リスト取得部（１３）によって取得された迷惑電話リスト（２２）に基づいて、着信した電話番号が迷惑電話の電話番号であるか否かを判定する迷惑電話判定部（１４）と、を備えている。
【００８１】
上記の構成によれば、電話機は、携帯通信端末を介してサーバより取得した迷惑電話リストに基づいて、該電話機が着信した電話番号が迷惑電話か否かを判定することが可能となる。したがって、最新の迷惑電話リストに基づいて迷惑電話か否かを判定し、判定した結果に基づいた処理を行うことが可能となり、迷惑電話拒否サービスの利便性の向上を実現する。
【００８２】
本発明の態様２に係る電話機（１）は、上記態様１において、上記電話機（１）と通信可能な上記携帯通信端末（２）を検出する通信端末検出部（１１）をさらに備え、上記迷惑電話リスト取得部（１３）は、上記通信端末検出部（１１）が通信可能な上記携帯通信端末（２）を検出した場合、上記携帯通信端末（２）を介して上記迷惑電話リスト（２２１）を取得する。
【００８３】
上記の構成によれば、電話機は、現在通信可能な携帯通信端末を検出し、該携帯通信端末を用いて迷惑電話リストを更新することが可能となる。したがって、現時点で通信可能な携帯通信端末を用いて確実に迷惑電話リストを更新することが可能となる。
【００８４】
本発明の態様３に係る電話機（１）は、上記態様２において、上記迷惑電話リスト取得部（１３）は、上記通信端末検出部（１１）が検出した上記携帯通信端末（２）のうち、上記電話機（１）との通信強度が最も高い上記携帯通信端末（２）から上記迷惑電話リスト（２２１）を取得する。
【００８５】
上記の構成によれば、電話機は、該電話機との間の通信強度が現在最も高い携帯通信端末を介して迷惑電話リストを取得することが可能となる。したがって、確実かつ迅速に迷惑電話リストを更新することが可能となる。
【００８６】
本発明の態様４に係る携帯通信端末（３００）は、電話機（１）と通信可能な携帯通信端末（２）であって、迷惑電話であると判断された電話番号の一覧である迷惑電話リストをサーバ（４）から取得する迷惑電話リスト取得部（２１２）と、上記迷惑電話リスト取得部（２１２）によって取得された迷惑電話リスト（２２１）を用いて、電話回線を介して自端末が着信した電話番号が迷惑電話か否かを判定する迷惑電話判定部（３１５）と、上記電話機（１）から迷惑電話リストの要求を受付けると、上記迷惑電話リスト取得部（２１２）により取得した迷惑電話リスト（２２１）を当該電話機（１）に転送する迷惑電話リスト転送部（３１６）と、を備える。
【００８７】
上記の構成によれば、携帯通信端末は、迷惑電話リストをサーバより取得して電話機に提供することが可能となり、さらに自端末が着信した電話番号が迷惑電話か否かを判定することが可能となる。したがって、任意のタイミングで電話機に迷惑電話リストを提供することができる、より利便性の向上した携帯通信端末を実現する。
【００８８】
本発明の態様５に係る通信システムは、上記態様１〜３のいずれか１項に記載の電話機（１）と、上記態様４に記載の携帯通信端末（３００）と、迷惑電話であると判断された電話番号の一覧である迷惑電話リストを格納し、上記携帯通信端末（３００）を介して上記電話機（１）に提供するサーバ（４）と、を含む。
【００８９】
上記の構成によれば、通信システムは、サーバに格納されている迷惑電話リストを、携帯通信端末を介して電話機に提供することが可能となる。したがって、通信システムの利便性を向上させることが可能となる。
【００９０】
本発明の態様６に係る電話機（１）の制御方法は、電話回線を用いて通話し、さらに少なくとも１台の携帯通信端末（２）と通信可能な電話機（１）の制御方法であって、サーバ（４）に蓄積された迷惑電話であると判断された電話番号の一覧である迷惑電話リストを、上記携帯通信端末（２）を介して取得する迷惑電話リスト取得ステップと、上記迷惑電話リスト取得ステップによって取得された迷惑電話リストに基づいて、着信した電話番号が迷惑電話の電話番号であるか否かを判定する迷惑電話判定ステップと、を含む。
【００９１】
上記の構成によれば、電話機の制御方法は、携帯通信端末を介してサーバより取得し、取得した迷惑電話リストに基づいて、該電話機が着信した電話番号が迷惑電話か否かを判定する。したがって、最新の迷惑電話リストに基づいて迷惑電話か否かを判定し、判定した結果に基づいた処理を行うことが可能となり、迷惑電話拒否サービスの利便性の向上を実現する。
【００９２】
本発明の態様７に係る携帯通信端末（３００）の制御方法は、電話機（１）と通信可能な携帯通信端末（３００）の制御方法であって、迷惑電話であると判断された電話番号の一覧である迷惑電話リストをサーバ（４）から取得する迷惑電話リスト取得ステップと、上記迷惑電話リスト取得ステップによって取得された迷惑電話リスト（２２１）を用いて、電話回線を介して自端末が着信した電話番号が迷惑電話か否かを判定する迷惑電話判定ステップと、上記電話機（１）から迷惑電話リスト（２２１）の要求を受付けると、上記迷惑電話リスト取得ステップにより取得した迷惑電話リスト（２２１）を当該電話機（１）に転送する迷惑電話リスト転送ステップと、を含む。
【００９３】
上記の構成によれば、携帯通信端末の制御方法は、迷惑電話リストをサーバより取得して電話機に提供し、さらに自端末が着信した電話番号が迷惑電話か否かを判定する。したがって、任意のタイミングで電話機に迷惑電話リストを提供することができる、より利便性の向上した携帯通信端末を実現する。
【００９４】
本発明の態様８に係る電話機（１）は、電話回線を用いて通話可能な電話機（１）であって、迷惑電話であると判断された電話番号の一覧である迷惑電話リスト（２２１）を備えた携帯通信端末（３００）と通信可能であり、着信した電話番号を上記携帯通信端末（３００）に送信するとともに、当該電話番号が上記迷惑電話リスト（２２１）に含まれるか否かを示す判定結果を当該携帯通信端末から取得する判定結果取得部（着信番号転送部１５）と、を備える。
【００９５】
上記の構成によれば、電話機は、携帯通信端末が備える迷惑電話リストを用いて迷惑電話か否かを判定することが可能となる。したがって、迷惑電話リストを保有しない電話機であっても、通信システムを利用することが可能となる。
【００９６】
本発明の態様９に係る携帯通信端末（３００）は、電話機（１）と通信可能な携帯通信端末（３００）であって、迷惑電話であると判断された電話番号の一覧である迷惑電話リストを取得する迷惑電話リスト取得部（２１２）と、上記電話機（１）から、上記電話機（１）が着信した電話番号を取得し、該電話番号が上記迷惑電話リスト取得部（２１２）によって取得された迷惑電話リスト（２２１）に含まれているか否かを判定する迷惑電話判定部（３１５）と、上記迷惑電話判定部（３１５）の判定結果を上記着信した電話機（１）に転送する判定結果転送部（３１６）と、を備える。
【００９７】
上記の構成によれば、携帯通信端末は、電話機が着信した電話番号について、迷惑電話か否かを判定し、その結果を電話機に転送することが可能となる。したがって、電話機との間で送受信するデータ量を削減し、より利便性を向上した携帯通信端末を実現する。
【００９８】
本発明の態様１０に係る通信システムは、上記態様８に記載の電話機（１）と、上記態様９に記載の携帯通信端末（３００）と、迷惑電話であると判断された電話番号の一覧である迷惑電話リストを格納し、上記迷惑電話リストを上記携帯通信端末（３００）に送信するサーバ（４）と、を含む。
【００９９】
上記の構成によれば、通信システムは、迷惑電話リストを保有しない電話機に対してもシステムを利用することを可能とする。したがって、通信システムの利便性を向上することが可能となる。
【０１００】
本発明の態様１１に係る電話機（１）の制御方法は、電話回線を用いて通話可能な電話機（１）の制御方法であって、上記電話機（１）は、迷惑電話であると判断された電話番号の一覧である迷惑電話リスト（２２１）を保有する携帯通信端末（３００）と通信可能であり、着信した電話番号を上記携帯通信端末（３００）に送信するとともに、当該電話番号が上記迷惑電話リスト（２２１）に含まれるか否かを示す判定結果を当該携帯通信端末から取得する判定結果取得ステップと、を含む。
【０１０１】
上記の構成によれば、電話機の制御方法は、着信した電話番号が迷惑番号か否かを携帯通信端末に判定させ、その判定結果を取得することが可能となる。よって、電話機が着信した電話番号について携帯通信端末に判定させる、利便性を向上した電話機を実現する。
【０１０２】
本発明の態様１２に係る携帯通信端末（３００）の制御方法は、電話機（１）と通信可能な携帯通信端末（３００）の制御方法であって、迷惑電話であると判断された電話番号の一覧である迷惑電話リストをサーバ（４）から取得する迷惑電話リスト取得ステップと、上記電話機（１）から、上記電話機（１）が着信した電話番号を取得する電話番号取得ステップと、上記電話番号取得ステップが取得した電話番号が、上記迷惑電話リスト取得ステップが取得した迷惑電話リスト（２２１）に含まれているか否かを判定する迷惑電話判定ステップと、上記迷惑電話判定ステップによる判定結果を上記着信した電話機に転送する判定結果転送ステップと、を含む。
【０１０３】
上記の構成によれば、携帯通信端末の制御方法は、電話機に着信した電話番号が迷惑番号か否かを判定し、その判定結果を該電話機に転送することが可能となる。よって、電話機の着信に対して迷惑番号か否かを判定する、利便性を向上した携帯通信端末を実現する。
【０１０４】
本発明の各態様に係る電話機および携帯通信端末は、コンピュータによって実現してもよく、この場合には、コンピュータを上記電話機および携帯通信端末が備える各部（ソフトウェア要素）として動作させることにより上記電話機および携帯通信端末をコンピュータにて実現させる電話機および携帯通信端末の制御プログラム、およびそれを記録したコンピュータ読み取り可能な記録媒体も、本発明の範疇に入る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１、１ａ〜１ｃ  電話機
２  携帯通信端末
３  Ｗｉ−Ｆｉルータ
４  サーバ
５  電話回線網
６  インターネット回線網
１０  制御部
１１  通信端末検出部
１２  リスト更新判定部
１３  迷惑電話リスト取得部
１４  迷惑電話判定部
１５  着信番号転送部
２０  記憶部
２１  通信端末情報
２２  迷惑電話リスト
２３  迷惑電話判定履歴情報
１０１  操作部
１０２  ディスプレイ
１０３  スピーカ
１０４  マイク
１０５  通信部
２０１  操作部
２０２  ディスプレイ
２０３  スピーカ
２０４  マイク
２０５  通信部
２１０  制御部
２１１  リスト更新判定部
２１２  迷惑電話リスト取得部
２１３  迷惑電話リスト転送部
２１４  履歴送信部
２１５  迷惑電話判定部
２２０  記憶部
２２１  迷惑電話リスト
３００  携帯通信端末
３１５  迷惑電話判定部
３１６  判定結果転送部
【図１】
0006644543.tif 000002
【図２】
0006644543.tif 000003
【図３】
0006644543.tif 000004
【図４】
0006644543.tif 000005
【図５】
0006644543.tif 000006
【図６】
0006644543.tif 000007
【図７】
0006644543.tif 000008
【図８】
0006644543.tif 000009
【図９】
0006644543.tif 000010
【図１０】
0006644543.tif 000011